(57)【要約】【課題】  入手が容易で、安価であり、猪による実害が生じたとき即応が容易で、しかも効果が大きい猪用忌避具を得ることを目的とする。【解決手段】  忌避用薬剤として、豚の皮下脂肪を煮詰めて得られる脂肪液２、あるいは脂肪が多い肉部分を忌避用薬剤とし、簡単に入手できる吸着材１に忌避用薬剤なる脂肪液２を吸着させて、着脱具３により耕作地の周辺に着脱可能に吊り下げできるようにした。【選択図】図１
0003168763.tif 000002
【実用新案登録請求の範囲】
【請求項１】
豚の皮下脂肪部分あるいは脂肪が多い肉部分を煮詰めて得られる脂肪液を吸着させた吸着材と、この吸着材を柵あるいは立木などに着脱できるように上記吸着材に設けられた着脱具とを備えてなる猪用忌避具。
【請求項２】
吸着材が、人工的に形成された猪の毛皮であることを特徴とする請求項１記載の猪用忌避具。
【考案の詳細な説明】
【技術分野】
【０００１】  この考案は、猪が耕作地に侵入して作物や耕作地を荒らすのを防止するために、耕作地の周辺に設置された害獣防護柵や周辺の立木などに吊り下げるようになされた猪用忌避具に関するものである。
【背景技術】
【０００２】  猪による耕作地の被害状況の実態は、その被害を受けた耕作者は勿論のこと、その耕作地の周辺の住民の間では広く知られている。このため、各種の防護対策が施されているが、この対策は、耕作地から得られる収入、あるいは、耕作地周辺の環境などから、被害を皆無にできるような大きな対策は困難である。【０００３】  従って、その防護対策としては、捕獲用わな、金網を用いた柵、電気ショックを生じるように裸電線を施した柵、あるいは、忌避用薬剤の散布、忌避薬剤を容器に入れて設置するなどの手段が知られている。
この内、忌避用薬剤としては、臭気発生物質として、例えば、ナフタレン、パラジクロベンゼン、カンフル、メントールを用いることが知られている。（特許文献１参照）。また、木酢液あるいは籾酢液を用いることも知られている。（特許文献２参照）。さらに、猪が近寄らないようにするための臭気を発生する物質としては、例えば、猪が天敵とするオオカミから採取した尿を用いることも知られている。（特許文献３参照）。【０００４】  このような忌避用薬剤は、それぞれ猪対策としてなんらかの効果はあると思はれるが、いずれにしても、その効果が長期間持続するものではない。従って、適当な時期に薬剤の補充、追加などのための点検・保守が必要である。この点検・保守に際して、上記のような薬剤は入手に手数がかかり、実用性に難点があった。
【先行技術文献】
【０００５】
【特許文献】
【特許文献１】実用新案登録第３１６４１８６号
【特許文献２】特開２００８−２８３９１１号
【特許文献３】実用新案登録第３１５４７５６号
【考案の概要】
【考案が解決しようとする課題】
【０００６】  以上述べた猪用忌避具では、各種の忌避用薬剤が知られているが、猪に対する効果はあるとしても、多くの場合その忌避用薬剤の入手に手数がかかることがあり、また、高価になることもあった。この考案は、入手が容易で、安価であり、しかも効果が大きい猪用忌避具を得ることを目的とする。
【課題を解決するための手段】
【０００７】  上記の目的を達成するために、この考案は、忌避用薬剤として、豚の皮下脂肪、あるいは脂肪が多い肉部分を煮詰めて得られる脂肪液を忌避用薬剤とし、簡単に入手できる吸着材に上記の忌避用薬剤を吸着させて耕作地の周辺に着脱可能に吊り下げできるようにしたものである。
【考案の効果】
【０００８】  この考案は、容易に入手できる豚の皮下脂肪、あるいは脂肪が多い肉部分を煮詰めて得られる脂肪液を忌避用薬剤として、簡単な構成の猪用忌避具を提供できる。従って、即製が可能であるため、耕作地の大小にかかわらず必要に応じて即応できる。なお、豚の皮下脂肪を煮詰めて得られる脂肪液が、前記の特許文献に示されたような忌避用薬剤と比較して、猪の被害を防止する効果がどの程度にあるのか、現在比較データは持っていない。しかし、いろいろな場所で実験した結果、十分に被害を防止する効果を確認することができた。【０００９】  この脂肪液は、猪または豚の毛皮（毛が残っている毛皮）に吸着させたものが効果が大きかったが、一般的な雑巾状の布類に吸着させたものであっても十分な効果が得られる。従って、安価で、点検・保守も容易な猪用忌避具を提供できる。
【図面の簡単な説明】
【００１０】
【図１】は、この考案に係る猪用忌避具の一実施例を示す斜視図である。
【図２】は、他の実施例を示す斜視図である。
【図３】は、猪に似せたぬいぐるみ状忌避具を示す説明図である。
【考案を実施するための形態】
【００１１】  以下本考案の実施の形態を図１及び図２に基づいて説明する。
【００１２】  図１において、１は吸着材であり、例えば雑巾のような布切れでもよいが、毛が生えた状態の猪または豚の毛皮が最も望ましい。ただし、猪や豚の毛皮は、やや入手が困難であるために、人工的に形成された猪の毛皮であってもよい。
３は着脱具であり、耕作地の周辺に設けられた柵あるいは耕作地の近くにある立木などに吊り下げ・着脱できるようになされたもので、紐及び留め金具などで形成されたものである。
【００１３】  上記の吸着材１には、豚の皮下脂肪を煮詰めて得られる脂肪液２を吸着させてある。この脂肪液２は、豚の皮下脂肪を煮詰めることにより得られるものである。この場合の豚の皮下脂肪は、市販されている豚肉において脂肪の多い部分を皮下脂肪として利用してもよい。この皮下脂肪を煮詰める場合、特別な方法は必要とせず、脂肪液２が得られるように煮詰めたものでよい。例えば、安価な皮付の脂肪部分を２Ｋｇないし３ｋｇ入手し、これを約５リットルの熱湯の中で数時間煮詰めることにより、１リットル程度の脂肪液２が得られる。
【００１４】  上記のようにして得られた脂肪液２を吸着材１に吸着させることにより猪用忌避具が構成される。なお、上記脂肪液２の吸着は、脂肪液２に吸着材１を浸漬するのが簡単であるが、刷毛などで塗布したものであってもよい。
【００１５】上記のようにして構成された猪用忌避具は、耕作地の周辺に設けられた柵、あるいは耕作地の近くにある立木などに着脱できるように吊り下げておく。この猪用忌避具から発生する臭気により、猪は耕作地に近づかなくなる。臭気が弱くなったときは、当初と同様に、脂肪液２に再浸漬するか、刷毛などで再塗布することにより繰り返し使用できる。
【００１６】  図２は、脂肪液２を吸着させた吸着材１を豚の毛皮、あるいは、一般的な布切れにより包んだものである。このように形成した猪用忌避具は、脂肪液２を多量に吸着させることができるので、長期間臭気を継続させることができる。
【００１７】  図３は、外周を豚あるいは猪に似せたぬいぐるみ状のもので、内部に、脂肪液２を吸着させた吸着材１を詰め込んである。このように形成したものは、大形の猪用忌避具にすることが可能で、多量の脂肪液２とともに、その形状から猪に恐怖感を生じさせて忌避効果が大きくなる。
【００１８】  なお、猪が近づいてくる場所は、猪の足跡で判別できる。これに対して、この考案の猪用忌避具は、着脱具３を設けることにより、猪が近づいてくる場所に設置することが容易なので、忌避効果が大きい。また、この猪用忌避具は、その臭気から野犬に引きちぎられるおそれがある。このため、野犬が飛びつけない高さに設置するのが望ましい。この典においても対応が容易である。
【００１９】
【符号の説明】
【００２０】１  吸着材
２  脂肪液
３  着脱具
【図１】
0003168763.tif 000003
【図２】
0003168763.tif 000004
【図３】
0003168763.tif 000005